(57)【要約】【課題】スプリアス共振周波数を調整可能なＴＭモード共振器およびＴＭモード共振器の特性調整方法を提供する。【解決手段】ＴＭ010モード共振器１は、円筒形状に形成された共振素子２と、共振素子２を収納するための矩形状の空洞（キャビティ）を形成するケース３とからなる。共振素子２は、セラミック製の誘電体からなり、その両端面には、端面電極２１が形成されている。また、共振素子２には、共振素子２を貫通し両端面に開口を有する内孔２ａが形成されており、その内孔２ａは、チューナ７を挿入可能な大きさの内径を有し、かつ、両端面付近の内周壁には、端面電極２１と導通する内孔電極２２が形成されている。そして、共振素子２の外径Ｂや内孔電極２２の寸法Ａは、ＴＭ010モード共振周波数やスプリアス共振周波数が、予め設定された所望の値となるように調整されている。【選択図】図１
2013009092.tif 000002
【特許請求の範囲】
【請求項１】
キャビティを形成し、該キャビティの内壁が導電性を有するケースと、
誘電体により柱状に形成され、柱軸方向に位置する二つの素子端面に端面電極を有すると共に、該端面電極が前記ケースの内壁に接触した状態で前記キャビティ内に保持される共振素子と、
を備え、
前記共振素子には、前記素子端面にて開口する凹部または内孔が形成され、且つ、該凹部または内孔の内周壁に、前記端面電極と導通する内孔電極が形成されていることを特徴とするＴＭモード共振器。
【請求項２】
前記凹部または内孔は、棒状の導体からなるチューナを挿入するために設けられたものであることを特徴とする請求項１に記載のＴＭモード共振器。
【請求項３】
キャビティを形成し、該キャビティの内壁が導電性を有するケースと、誘電体により柱状に形成され、柱軸方向に位置する二つの素子端面に端面電極を有すると共に、該端面電極が前記ケースの内壁に接触した状態で前記キャビティ内に保持される共振素子とを備え、前記共振素子には、前記素子端面にて開口し、棒状の導体からなるチューナを挿入するための凹部または内孔が形成されたＴＭモード共振器の特性調整方法であって、
前記凹部または内孔の内周壁に、前記端面電極と導通する内孔電極を形成することにより、当該ＴＭモード共振器のスプリアス共振周波数を上昇させる側に調整することを特徴とするＴＭモード共振器の特性調整方法。
【請求項４】
キャビティを形成し、該キャビティの内壁が導電性を有するケースと、誘電体により柱状に形成され、柱軸方向に位置する二つの素子端面に端面電極を有すると共に、該端面電極が前記ケースの内壁に接触した状態で前記キャビティ内に保持される共振素子とを備え、前記共振素子には、前記素子端面にて開口し、棒状の導体からなるチューナを挿入するための凹部または内孔が形成されたＴＭモード共振器の特性調整方法であって、
前記凹部または内孔の内周壁に、前記端面電極と導通する内孔電極を形成し、該内孔電極の前記柱軸方向に沿った幅によって当該ＴＭモード共振器のスプリアス共振周波数を調整する第１ステップと、
前記共振素子の外周を研磨し、該共振素子の外径によって当該ＴＭモード共振器の共振周波数を調整する第２ステップと、
を有することを特徴とするＴＭモード共振器の特性調整方法。
【発明の詳細な説明】
【技術分野】
【０００１】
本発明は、高周波回路で使用されるＴＭモード共振器、およびその特性調整方法に関する。
【背景技術】
【０００２】
近年、マイクロ波やミリ波等を処理する高周波回路（例えば、移動体通信システムの基地局等で使用される高周波フィルタ等）に使用される小型の誘電体共振器としてＴＭ010モード共振器が注目されている。
【０００３】
ＴＭ010モード共振器は、円筒状または角筒状に形成された金属製のキャビティと、キャビティの中心軸に沿って配置される円柱状の誘電体素子とからなり、誘電体素子の長手方向の両端をキャビティの両底面の内壁に接触させた状態で使用する（例えば、特許文献１参照）。
【０００４】
また、誘電体素子として、内孔を有する円筒状に形成されたものを使用し、その内孔に導体棒（以下では「チューナ」と称する）を挿入し、その挿入深さにより共振周波数を調整することも行われている（例えば、特許文献２参照）。
【先行技術文献】
【特許文献】
【０００５】
【特許文献１】特開昭６３−２５０２０１号公報
【特許文献２】特開２００２−１５８５１４号公報（特に、図９参照。）
【発明の概要】
【発明が解決しようとする課題】
【０００６】
ところで、ＴＭ010モード共振器の特性は、キャビティや誘電体素子の形状やサイズによって調整されるが、キャビティの形状やサイズは使用する周波数や使用する場所など制約を受けるため、実質上、誘電体素子の寸法によって特性は調整されている。
【０００７】
そして、誘電体素子の寸法のうち、全長はキャビティ高さによって決まり、内孔径はチューナのサイズによって決まる。なお、チューナは、通常、金属製のボルトからなり、ボルトの径が大きいほど調整可能な周波数領域（チューニングレンジ）が大きくなることが知られている。つまり、チューナのサイズは、要求されるチューニングレンジの大きさによって決まることになる。
【０００８】
従って、多くの場合、ＴＭ010モード共振器の特性を、誘電体素子の外径という１つのパラメータで調整することになる。
しかし、誘電体素子の外径の調整は、通常、ＴＭ010モードの共振周波数を制御するために使用される。そのため、不要波（スプリアス）の共振周波数は誘電体素子の外径のパラメータによって制御することができず、スプリアスの改善が困難であるという問題があった。
【０００９】
本発明は、上記問題点を解決するために、スプリアス共振周波数を調整可能なＴＭモード共振器およびＴＭモード共振器の特性調整方法を提供することを目的とする。
【課題を解決するための手段】
【００１０】
上記目的を達成するためになされた請求項１に記載の発明は、キャビティを形成し、該キャビティの内壁が導電性を有するケースと、誘電体により柱状に形成され、柱軸方向に位置する二つの素子端面に端面電極を有すると共に、該端面電極が前記ケースの内壁に接触した状態で前記キャビティ内に保持される共振素子とを備えたＴＭモード共振器であって、前記共振素子には、前記素子端面にて開口する凹部または内孔が形成され、且つ、該凹部または内孔の内周壁に、前記端面電極と導通する内孔電極が形成されていることを特徴とする。
【００１１】
このように構成された本発明のＴＭモード共振器では、ＴＭ010モード共振周波数の制御に用いるパラメータ（共振素子の外径）とは別のパラメータ（内孔電極の寸法）を用いてスプリアス共振周波数を制御することができる。そのため、ＴＭ010モード共振周波数だけでなくスプリアス共振周波数も所望の値に調整すること、即ち、所望の特性を得ることができる。
【００１２】
なお、内孔電極を設けると、スプリアス共振周波数が高くなる一方で、ＴＭ010モード共振周波数は低下する。また、内孔電極の寸法（共振素子の軸方向に沿った幅）を大きくするほど、これら共振周波数の変位量も大きくなる。
【００１３】
つまり、本発明のＴＭモード共振器では、共振素子を径方向に研磨することによって、共振周波数を高くする調整が可能であるだけでなく、内孔電極の寸法を調整することによって、共振周波数を低くする調整も可能となる。
【００１４】
その結果、本発明のＴＭモード共振器によれば、従来では共振周波数が規定値より高くなってしまったことにより、不良品となっていたものを、内孔電極の寸法の調整によって共振周波数を規定値とする（良品とする）ことができ、製品製造工程における歩留まりを向上させることもできる。
【００１５】
なお、ＴＭモード共振器には、共振周波数を可変調整するための棒状の導体からなるチューナを挿入するために、共振素子に凹部または内孔が元々形成されているものがあるが、その場合には、そのチューナ挿入用の凹部または内孔に内孔電極を形成すればよい（請求項２）。
【００１６】
次に請求項３に記載の発明は、キャビティを形成し、該キャビティの内壁が導電性を有するケースと、誘電体により柱状に形成され、柱軸方向に位置する二つの素子端面に端面電極を有すると共に、該端面電極が前記ケースの内壁に接触した状態で前記キャビティ内に保持される共振素子とを備え、前記共振素子には、前記素子端面にて開口し、棒状の導体からなるチューナを挿入するための凹部または内孔が形成されたＴＭモード共振器の特性調整方法であって、前記凹部または内孔の内周壁に、前記端面電極と導通する内孔電極を形成することにより、当該ＴＭモード共振器のスプリアス周波数を上昇させる側に調整することを特徴とする。
【００１７】
本発明の特性調整方法によれば、ＴＭ010モード共振周波数の調整に用いる共振素子の外径とは異なる内孔電極の寸法をパラメータとして、スプリアス周波数を上昇させる側に調整することができる。
【００１８】
また、請求項４に記載の発明は、請求項３に記載の発明と同様のＴＭモード共振器を前提とするＴＭモード共振器の特性調整方法であって、前記凹部または内孔の内周壁に、前記端面電極と導通する内孔電極を形成し、該内孔電極の前記柱軸方向に沿った幅によって当該ＴＭモード共振器のスプリアス周波数を調整する第１ステップと、前記共振素子の外周を研磨し、該共振素子の外径によって当該ＴＭモード共振器のＴＭ010モード共振周波数を調整する第２ステップとを有することを特徴とする。
【００１９】
本発明の特性調整方法によれば、スプリアス共振周波数およびＴＭ010モード共振周波数をいずれも所望の値に調整とすることができるため、ＴＭモード共振器の特性を向上させることができる。
【図面の簡単な説明】
【００２０】
【図１】ＴＭ010モード共振器の構成を示す断面図。
【図２】内孔電極の寸法とＴＭ010モード共振周波数およびスプリアス共振周波数との関係をシミュレーションによって求めた結果を示す表およびグラフ。
【図３】シミュレーションに用いたＴＭ010モード共振器モデルの構成を示す説明図。
【発明を実施するための形態】
【００２１】
以下に本発明の実施形態を図面と共に説明する。
＜全体構成＞
図１は、ＴＭ010モードで共振するＴＭ010モード共振器１の全体構成を示す図であり、（ａ）が全体構成を示す断面図、（ｂ）がＴＭ010モード共振器１の主要部となる共振素子２の構成を示す斜視図である。
【００２２】
図１に示すように、ＴＭ010モード共振器１は、円筒形状に形成された共振素子２と、共振素子２を収納するための矩形状の空洞（キャビティ）を形成するケース３とからなる。
【００２３】
［ケースの構成］
ケース３は、一端に開口部を有する有底角筒状に形成された容器本体４と、容器本体４の開口部を塞ぐ形状に形成された板状の蓋体５とからなる。
【００２４】
このうち、容器本体４は、全体が金属によって構成されている。また、容器本体４の側壁には、キャビティの中心を挟んで対向する位置のそれぞれに、側壁を貫通する取付孔４１，４２が形成されている。そして、各取付孔４１，４２には、高周波信号を伝送する同軸ケーブルを接続するためのコネクタ４３，４４が取り付けられている。これらコネクタ４３，４４は、一方が入力用、他方が出力用として使用される。
【００２５】
そして、コネクタ４３，４４のうち、同軸ケーブルの外部導体に接続される部位は、容器本体４の外壁に接続（接地）されている。また、同軸ケーブルの中心導体に接続される端子４３ａ，４４ａは、キャビティの中心軸を通る断面内でループを形成するように、コの字状に屈曲させた形状を有すると共に、先端部分が容器本体４の内壁にハンダ付けすることで接地されている。
【００２６】
また、端子４３ａ，４４ａのうち取付孔４１，４２内に位置する部位は、端子４３ａ，４４ａが取付孔４１，４２内の端面と短絡することがないように絶縁体４３ｂ，４４ｂで被覆されている。
【００２７】
更に、容器本体４の開口部の周縁には、蓋体５を固定するためのネジ孔（本体側ネジ孔）４ａが複数箇所に形成されている。
一方、蓋体５は、金属板からなり、容器本体４の開口部を塞ぐように配置した時に、容器本体４の本体側ネジ孔４ａと対向する部位には、ネジ孔（蓋側ネジ孔）５ａが形成されていると共に、蓋体５の中心には、金属製のボルトからなるチューナ７を螺合するためのネジ孔（チューナ用ネジ孔）５ｂが形成されている。
【００２８】
そして、蓋側ネジ孔５ａを挿通させたネジ６の先端部を、本体側ネジ孔４ａに螺合させることにより、蓋体５は容器本体４に固定される。
［共振素子の構成］
図１（ｂ）は、共振素子２の全体構成を示す斜視図である。
【００２９】
共振素子２は、セラミック製の誘電体からなり、その両端面には、図１（ｂ）に示すように、銀焼付け等により電極（以下「端面電極」という）２１が形成されている。
また、共振素子２には、該共振素子２を貫通し両端面に開口を有する内孔２ａが形成されている。この内孔２ａは、蓋体５のチューナ用ネジ孔５ｂに螺合されるチューナ７を挿入可能な大きさの内径を有し、かつ、両端面付近の内周壁には、端面電極２１と導通する内孔電極２２が形成されている。
【００３０】
なお、共振素子２の全長Ｌは、ケース３が形成するキャビティの大きさに合わせて形成され、チューナ７の外径、ひいては共振素子２の内孔２ａの内径は、チューナ７の可動範囲と共振周波数の調整範囲（チューニングレンジ）の大きさに応じて設計されている。
【００３１】
なお、共振素子２の外径Ｂや内孔電極２２の寸法（全長方向に沿った幅）Ａは、チューナ７未挿入時のＴＭ010モード共振周波数およびスプリアス共振周波数が、予め設定された所望の値となるように調整されている。
【００３２】
［組立・調整］
共振素子２として、ＴＭ010モード共振周波数が所望値より低くなるような外径寸法を有するものを選択し、スプリアス共振周波数が所望値以上となるように、内孔電極２２を形成する。但し、内孔電極２２を形成すると、ＴＭ010モード共振周波数も低下するため、その低下分を見込んだ外径寸法のものを選択する。
【００３３】
この内孔電極２２が形成された共振素子２を、端面電極２１が形成された両端が、それぞれ容器本体４の底面内壁と、蓋体５の内壁とに接触し、且つ、チューナ用ネジ孔５ｂの中心と共振素子２の内孔２ａの中心とが一致する（キャビティの中心に位置する）ように配置して、蓋体５を容器本体４に固定する。
【００３４】
この状態で、ＴＭ010モード共振器１の共振周波数の測定を行い、測定結果が所望の共振周波数より低い場合、ケース３から共振素子２を取り出し、共振素子２の外周を研磨して、外径寸法を小さくすることで、ＴＭ010モード共振周波数が高くなるように調整する。
【００３５】
上述の作業を、測定結果が所望のＴＭ010モード共振周波数となるまで繰り返す。
［動作］
このように構成されたＴＭ010モード共振器１では、コネクタ４３を入力用、コネクタ４４を出力用として用いた場合、コネクタ４３に接続された同軸ケーブルを介して給電が行われると、コネクタ４３の端子４３ａが形成するループ部分に電流が流れることにより、ループを通過する磁力線（磁界）が発生し、更に、その磁力線によって電気力線（電界）が発生する。
【００３６】
ＴＭ010モードの共振周波数掃引時、磁力線は、共振素子の外周に沿って円形状に形成され、電気力線は共振素子の内部に直線状に形成される。このとき、この磁力線が、コネクタ４４の端子４４ａが形成するループ部分と結合することにより、コネクタ４４からは共振素子２の共振周波数を有した高周波信号が出力される。
【００３７】
また、チューナ７の挿入量を変化させると、挿入量を増やすほど共振周波数は低下する。
［効果］
以上説明したように、ＴＭ010モード共振器１では、共振素子２の内孔２ａに形成する内孔電極２２の寸法を調整することによって、スプリアス共振周波数を調整し、共振素子２の外径寸法を調整することによって、ＴＭ010モード共振周波数を調整するようにされている。
【００３８】
このように、ＴＭ010モード共振器１によれば、ＴＭ010モード共振周波数の調整に用いるものとは異なるパラメータを用いてスプリアス共振周波数を調整しているため、ＴＭ010モード共振周波数およびスプリアス共振周波数のいずれも、所望の値に容易に調整することができる。
【００３９】
また、内孔電極２２を形成するとＴＭ010モード共振周波数は低下するため、内孔電極２２の寸法と、共振素子２の外径寸法とにより、ＴＭ010モード共振周波数を上昇側、下降側のいずれにも調整することができる。
【００４０】
その結果、従来では共振周波数が規定値より高くなってしまったことにより、不良品となっていた製品を、内孔電極２２にてＴＭ010モード共振周波数を低下させるように調整することによって良品とすることができ、製品製造工程における歩留まりを向上させることができる。
【００４１】
更に、あるＴＭ010モード共振周波数を実現する場合、内孔電極２２を形成することによって共振周波数が低下するため、共振素子２の外径をより小さなものとすること、即ち、装置の小型化を実現することもできる。
【００４２】
［実験］
図２は、シミュレーションによって、内孔電極２２の寸法Ａと、ＴＭ010モード共振周波数およびスプリアス共振周波数との関係を求めた結果であり、（ａ）が表、（ｂ）がグラフである。
【００４３】
なお、シミュレーションには、図３に示すような、ＴＭ010モード共振器モデルを作成し、共振器両端面から、内孔内部へ向かって伸びる内孔円周状に形成された電極の寸法Ａを変化させ、ＴＭ010モード共振周波数が一定値になるように外径Ｂを調整して、スプリアス共振周波数を確認した。但し図３において、（ａ）は斜視図、（ｂ）は断面図である。
【００４４】
但し、共振素子２の内径Ｃは４ｍｍ、共振素子２の全長Ｌは３９ｍｍ、キャビティサイズは、３０ｍｍ×３０ｍｍ×３９ｍｍである。
図２の表およびグラフに示されているように、内孔電極２２の寸法Ａおよび共振素子２の外径Ｂの二つのパラメータを変化させることにより、所望のＴＭ010モード共振周波数を確保した上で、スプリアス共振周波数を高周波側へ移動させることが可能であることがわかる。
【００４５】
［他の実施形態］
以上本発明の一実施形態について説明したが、本発明は上記実施形態に限定されるものではなく、本発明の要旨を逸脱しない範囲において、様々な態様にて実施することが可能である。
【００４６】
上記実施形態では、共振素子２の外形を円柱状としたが、これに限るものではなく多角柱形状であってもよい。また、上記実施形態では、キャビティの形状を直方体状としたが、これに限るものではなく円柱状であってもよい。
【００４７】
上記実施形態では、共振素子２に一方の端面から他方の端面に貫通する内孔２ａが形成されているが、この内孔は必ずしも貫通している必要はなく、端面に開口を有する凹部であってもよい。
【符号の説明】
【００４８】
１…ＴＭ010モード共振器  ２…共振素子  ２ａ…内孔  ３…ケース  ４…容器本体  ４ａ…本体側ネジ孔  ５…蓋体  ５ａ…蓋側ネジ孔  ５ｂ…チューナ用ネジ孔  ６…ネジ  ７…チューナ  ２１…端面電極  ２２…内孔電極  ４１…取付孔  ４２…取付孔  ４３…コネクタ  ４３ａ…端子  ４３ｂ…絶縁体  ４４…コネクタ  ４４ａ…端子  ４４ｂ…絶縁体
【図１】
2013009092.tif 000003
【図２】
2013009092.tif 000004
【図３】
2013009092.tif 000005